(57)【要約】【課題】新たな装置を設けることなく記録媒体に格納された固有情報の読み出しが可能なコンテンツ認証システムを提供することができる。【解決手段】映像データおよびコンテンツデータを制作し、映像データを記録媒体に格納し、コンテンツデータを配信サーバに出力するデジタルコンテンツ制作部１３と、デジタルコンテンツ制作部１３が制作した映像データが固有に持つ情報から固有情報を生成する固有情報生成部１４と、固有情報生成部１４が生成した固有情報を記録媒体３および配信サーバ４に出力する固有情報出力部１５とを備えたオーサリング装置１と、固有情報出力部１５により出力された固有情報と、デジタルコンテンツ制作部１３が制作したコンテンツデータとを対応付けて格納するデータ格納部４１と、記録媒体３に格納された固有情報と、データ格納部４１に格納された固有情報とを照合する固有情報照合部４２とを備えて、映像データを格納する記録媒体３の利用を認証してコンテンツデータを配信する配信サーバ４とを備えた。【選択図】図１
2012141933.tif 000002
【特許請求の範囲】
【請求項１】
映像データと前記映像データに対応したコンテンツデータを制作するオーサリング装置と、前記映像データを格納する記録媒体の利用を認証して前記コンテンツデータを配信する配信サーバとを備えたコンテンツ認証システムにおいて、
前記オーサリング装置は、
前記映像データおよび前記コンテンツデータを制作し、前記映像データを前記記録媒体に格納し、前記コンテンツデータを前記配信サーバに出力するデジタルコンテンツ制作部と、
前記デジタルコンテンツ制作部が制作した映像データが固有に持つ情報から固有情報を生成する固有情報生成部と、
前記固有情報生成部が生成した固有情報を前記記録媒体および前記配信サーバに出力する固有情報出力部とを備え、
前記配信サーバは、
前記固有情報出力部により出力された固有情報と、前記デジタルコンテンツ制作部が制作したコンテンツデータとを対応付けて格納するデータ格納部と、
受信した前記記録媒体の固有情報と、前記データ格納部に格納された固有情報とを照合する固有情報照合部とを備えたことを特徴とするコンテンツ認証システム。
【請求項２】
前記記録媒体に格納された映像データと、前記配信サーバから配信されるコンテンツデータとを再生する視聴端末とを備え、
前記視聴端末は、
前記記録媒体に格納された固有情報を読み出す固有情報読出部と、
前記固有情報読出部が読み出した固有情報を前記固有情報照合部に送信する固有情報送信部とを備えたことを特徴とする請求項１記載のコンテンツ認証システム。
【請求項３】
前記固有情報は、前記映像データが固有に持つ情報の演算結果であることを特徴とする請求項１または請求項２記載のコンテンツ認証システム。
【請求項４】
前記固有情報は、前記映像データの容量であることを特徴とする請求項１または請求項２記載のコンテンツ認証システム。
【請求項５】
前記固有情報は、前記映像データの長さであることを特徴とする請求項１または請求項２記載のコンテンツ認証システム。
【請求項６】
前記固有情報は、前記映像データから算出したハッシュ値であることを特徴とする請求項１または請求項２記載のコンテンツ認証システム。
【請求項７】
前記デジタルコンテンツ制作部が複数の映像データおよび複数のコンテンツデータを制作し、前記複数の映像データを１つの記録媒体が格納する場合に、
前記固有情報生成部は、前記複数の映像データそれぞれが固有に持つ情報から複数の固有情報を生成し、
前記固有情報出力部は、前記複数の固有情報を前記１つの記録媒体および前記データ格納部に出力し、
前記固有情報照合部は、前記１つの記録媒体に格納された複数の固有情報と、前記データ格納部に格納された複数の固有情報とを照合し、前記１つの記録媒体と前記複数のコンテンツデータとを対応付けることを特徴とする請求項１から請求項６のうちのいずれか１項記載のコンテンツ認証システム。
【請求項８】
前記固有情報出力部は、前記固有情報生成部が生成した固有情報をオブジェクトに格納し、当該オブジェクトを前記記録媒体に出力することを特徴とする請求項１から請求項６のうちのいずれか１項記載のコンテンツ認証システム。
【請求項９】
前記固有情報登録部は、前記固有情報生成部が生成した固有情報をフォルダ名とするフォルダを作成し、当該フォルダを前記記録媒体に登録することを特徴とする請求項１から請求項６のうちのいずれか１項記載のコンテンツ認証システム。
【請求項１０】
映像データおよび前記映像データに対応したコンテンツデータを制作し、前記映像データを記録媒体に出力し、前記コンテンツデータを配信サーバに出力するオーサリング装置において、
前記映像データおよび前記コンテンツデータを制作するデジタルコンテンツ制作部と、
前記デジタルコンテンツ制作部が制作した映像データが固有に持つ情報から固有情報を生成する固有情報生成部と、
前記固有情報生成部が生成した固有情報を前記記録媒体および前記配信サーバに出力する固有情報出力部とを備えたことを特徴とするオーサリング装置。
【請求項１１】
映像データを格納する記録媒体の利用を認証して前記映像データに対応したコンテンツデータを配信する配信サーバにおいて、
前記映像データが固有に持つ情報から生成された固有情報と、前記映像データに対応したコンテンツデータとを対応付けて格納するデータ格納部と、
前記記録媒体に格納された固有情報を受信し、当該受信した固有情報と、前記データ格納部に格納された固有情報とを照合する固有情報照合部と、
前記固有情報照合部の照合結果に基づき前記コンテンツデータを配信するコンテンツデータ配信部とを備えたことを特徴とする配信サーバ。
【請求項１２】
記録媒体に格納された映像データおよび配信サーバから配信されるコンテンツデータを取得して再生する視聴端末において、
前記記録媒体に格納された固有情報を読み出す固有情報読出部と、
前記固有情報読出部が読み出した固有情報を前記配信サーバに送信する固有情報送信部と、
前記記録媒体に格納された映像データを取得する映像参照部と、
前記配信サーバから配信されるコンテンツデータを取得するコンテンツデータ取得部と、
前記映像参照部が取得した映像データと、前記データ取得部が取得したコンテンツデータとを同期させて再生する再生部とを備えたことを特徴とする視聴端末。
【発明の詳細な説明】
【技術分野】
【０００１】
この発明は、デジタルコンテンツをネットワーク配信する際の認証システムおよび当該システムにおけるオーサリング装置、配信サーバおよび視聴端末に関するものである。
【背景技術】
【０００２】
例えばウェブ学習教材など、映像、音声、テキストなどを含むデジタルコンテンツをネットワーク配信する場合、映像を記録媒体に格納して配布し、映像以外のコンテンツデータ（マークアップ／スクリプト言語や画像、音声、テキストなど）をサーバに格納してネットワーク配信するシステムがある。当該システムにおいてデジタルコンテンツを再生する場合、サーバからコンテンツデータをダウンロードし、視聴端末に挿入した記録媒体から映像を読み出す。このとき、コンテンツデータに対応していない誤った記録媒体が視聴端末に挿入されていたとしても、正しい記録媒体と同じように再生試行してしまうという課題があった。また、記録媒体内のフォルダ構成やファイル名が同じで、コンテンツデータから映像を参照するパスが同じ記録媒体が存在する場合、コンテンツデータに対応していない映像であっても再生が開始されてしまうという課題があった。
【０００３】
これらの課題を解決する方法として、記録媒体が固有に持つ各種情報を基に記録媒体を認証する方法が知られている。しかし、この方法ではコンテンツデータに対応した映像を複数の記録媒体にコピーした場合、同一の映像を格納した記録媒体であっても異なる記録媒体として扱ってしまうという課題があった。
【０００４】
また異なる解決方法として、特許文献１では、光ディスクに格納された映像の一部をディスク認証するための固有情報として読み出し、配信サーバに送信する光ディスク装置が提案されている。この光ディスク装置では、光ディスクから読み出した固有情報を配信サーバに送信し、当該光ディスクが認証された場合、配信サーバに格納した拡張コンテンツの配信を許可している。ここで拡張コンテンツとは、マークアップ／スクリプト言語や動画、静止画、音声などであり、これらは暗号化して配信サーバに格納されており、配信サーバから配信された後、光ディスクに記録された鍵情報を用いて復号する。
【先行技術文献】
【特許文献】
【０００５】
【特許文献１】特開２００６−０７３１８７号公報
【発明の概要】
【発明が解決しようとする課題】
【０００６】
しかしながら、上述した特許文献１では、光ディスク認証のための固有情報を光ディスクから読み出し、配信サーバに送信する専用の装置が必要となる。また、配信サーバに暗号化して格納された拡張コンテンツを復号するための鍵情報を光ディスクが保持しているため、当該光ディスクが盗まれた場合には第３者でもデジタルコンテンツが再生できてしまうという課題があった。
【０００７】
この発明は、上記のような課題を解決するためになされたもので、新たな装置を設けることなく記録媒体に格納された固有情報の読み出しが可能なコンテンツ認証システムを提供することを目的とする。
【課題を解決するための手段】
【０００８】
この発明に係るコンテンツ認証システムは、映像データおよびコンテンツデータを制作し、映像データを記録媒体に格納し、コンテンツデータを配信サーバに出力するデジタルコンテンツ制作部と、デジタルコンテンツ制作部が制作した映像データが固有に持つ情報から固有情報を生成する固有情報生成部と、固有情報生成部が生成した固有情報を記録媒体および配信サーバに出力する固有情報出力部とを備えたオーサリング装置と、固有情報出力部により出力された固有情報と、デジタルコンテンツ制作部が制作したコンテンツデータとを対応付けて格納するデータ格納部と、受信した記録媒体の固有情報と、データ格納部に格納された固有情報とを照合する固有情報照合部とを備えた配信サーバとを備えたものである。
【発明の効果】
【０００９】
この発明によれば、映像データが固有に持つ情報から固有情報を生成する固有情報生成部と、固有情報生成部が生成した固有情報を記録媒体および配信サーバに出力する固有情報出力部とを備えたオーサリング装置と、固有情報出力部により出力された固有情報と、デジタルコンテンツ制作部が制作したコンテンツデータとを対応付けて格納するデータ格納部と、受信した記録媒体の固有情報と、データ格納部に格納された固有情報とを照合する固有情報照合部とを備えた配信サーバとを備えるように構成したので、記録媒体から固有情報を読み出す装置を別途必要としないコンテンツ認証システムを提供することができる。さらに、記録媒体が盗用された場合にもデジタルコンテンツのセキュリティを確保することができる。
【図面の簡単な説明】
【００１０】
【図１】実施の形態１によるコンテンツ認証システムの構成を示すブロック図である。
【図２】実施の形態１によるコンテンツ認証システムのデジタルコンテンツ制作処理を示すシーケンス図である。
【図３】実施の形態１によるコンテンツ認証システムのデジタルコンテンツデータ再生処理を示すシーケンス図である。
【図４】実施の形態１によるコンテンツ認証システムのデジタルコンテンツデータ再生処理を示すフローチャートである。
【図５】実施の形態２によるコンテンツ認証システムの照合処理を示す模式図である。
【図６】実施の形態３によるコンテンツ認証システムの構成を示すブロック図である。
【図７】実施の形態４によるコンテンツ認証システムの構成を示すブロック図である。
【発明を実施するための形態】
【００１１】
実施の形態１．
図１は、この発明の実施の形態１によるコンテンツ認証システムの構成を示すブロック図である。図１に示すようにコンテンツ認証システムは、デジタルコンテンツを制作するオーサリング装置１、映像データを暗号化する映像暗号化装置２、暗号化した映像データと共に固有情報を格納する記録媒体３、コンテンツデータと共に固有情報を格納し、固有情報の照合によりコンテンツデータを配信する配信サーバ４、ユーザ認証を行う認証サーバ５、暗号化した映像データのライセンスを発行するライセンスサーバ６、およびデジタルコンテンツを再生する視聴端末７で構成されている。
【００１２】
続いて、各構成の詳細について説明する。
オーサリング装置１は、メディア格納部１１、メディア呼出部１２、デジタルコンテンツ制作部１３、固有情報生成部１４および固有情報出力部１５で構成されている。
まず、メディア格納部１１は、フォルダやデータベースで構成され、映像／音声／テキストなどのメディアデータを格納し、格納されたメディアデータをメディア呼出部１２が呼び出す。デジタルコンテンツ制作部１３は、メディア呼出部１２が呼び出したメディアデータを用いてデジタルコンテンツを制作する。ここでデジタルコンテンツは映像データとコンテンツデータ（マークアップ／スリプト言語や画像、音声、テキストなど）で構成される。制作されたデジタルコンテンツのうち、映像データは映像暗号化装置２に出力され、コンテンツデータは配信サーバ４のデータ格納部４１に出力される。
【００１３】
固有情報生成部１４は、映像データが固有に持つ各種情報からデジタルコンテンツ認証のための固有情報を生成する。生成された固有情報は、固有情報出力部１５により記録媒体３の固有情報格納部３２および配信サーバ４のデータ格納部４１に出力される。ここで、映像データが固有に持つ各種情報とは、映像データの容量や長さ、ハッシュ値などである。これらの値を固有情報とする、あるいはこれらの情報の演算結果（例えば、これらの情報の合計値など）を固有情報とする。
【００１４】
映像暗号化装置２は、デジタルコンテンツ制作部１３から入力された映像データを暗号化する。記録媒体３は、映像暗号化装置２から入力される暗号化された映像データを格納する映像格納部３１と、オーサリング装置１の固有情報出力部１５から入力される固有情報を格納する固有情報格納部３２で構成されている。配信サーバ４は、データ格納部４１、固有情報照合部４２、コンテンツデータ配信部４３で構成されている。データ格納部４１は、デジタルコンテンツ制作部１３から入力されるコンテンツデータと、当該コンテンツデータに対応する固有情報出力部１５から入力される固有情報を格納する。固有情報照合部４２は、視聴端末７から送信される固有情報を受信し、受信した固有情報とデータ格納部４１に格納された固有情報とを照合する。コンテンツデータ配信部４３は、固有情報照合部４２の照合結果に基づき、データ格納部４１に格納されたコンテンツデータを視聴端末７に配信する。認証サーバ５は、視聴端末７のユーザが正規のユーザであるか認証を行う。ライセンスサーバ６は、視聴端末７から入力されるライセンス要求に対してライセンスの発行を行う。
【００１５】
視聴端末７は、再生処理部７１、固有情報読出部７２、固有情報送信部７３、映像参照部７４、コンテンツデータダウンロード部（コンテンツデータ取得部）７５およびデジタルコンテンツ再生部７６で構成されている。再生処理部７１は、配信サーバ４にデジタルコンテンツ再生のリクエストを出力すると共に、認証サーバ５との間で視聴端末７のユーザ認証を行う。固有情報読出部７２は記録媒体３の固有情報格納部３２に格納された固有情報の読み出しを行い、固有情報送信部７３は読み出された固有情報を配信サーバ４の固有情報照合部４２に送信する。映像参照部７４は、記録媒体３の映像格納部３１に格納された映像データを参照し再生試行する。また、当該映像データは暗号化されているため、暗号化を復号するためのライセンス要求をライセンスサーバ６に出力する。コンテンツデータダウンロード部７５は、配信サーバ４のデータ格納部４１に格納されたコンテンツデータのダウンロードを行う。デジタルコンテンツ再生部７６は、映像参照部７４が取得した映像データを、ライセンスサーバ６から発行されたライセンスにより復号し、コンテンツデータダウンロード部７５がダウンロードしたコンテンツデータと同期させて再生する。
【００１６】
続いて、実施の形態１によるコンテンツ認証システムの動作について図２から図４を参照しながら説明を行う。始めに図２のシーケンス図に基づき、実施の形態１によるコンテンツ認証システムのデジタルコンテンツ制作処理について説明を行う。
オーサリング装置１のメディア呼出部１２は、メディア格納部１１から映像／音声／テキストなどのメディアデータを呼び出す（ステップＳＴ１）。オーサリング装置１のデジタルコンテンツ制作部１３は、ステップＳＴ１において呼び出されたメディアデータを用いて、映像データとコンテンツデータで構成されるデジタルコンテンツを制作する（ステップＳＴ２）。さらに固有情報生成部１４は、デジタルコンテンツに含まれる映像データが固有に有する各種情報からデジタルコンテンツ認証のための固有情報を生成する（ステップＳＴ３）。
【００１７】
デジタルコンテンツのうち映像データは映像暗号化装置２に出力され（ステップＳＴ４）、固有情報は固有情報出力部１５により記録媒体３と配信サーバ４に出力される（ステップＳＴ５）。さらに、デジタルコンテンツのうちコンテンツデータは配信サーバ４に出力される（ステップＳＴ６）。映像暗号化装置２は、ステップＳＴ４で入力された映像データの暗号化を行い（ステップＳＴ７）、暗号化された映像データを記録媒体３に出力する（ステップＳＴ８）。記録媒体３は、ステップＳＴ５で入力された固有情報を固有情報格納部３２に格納し、ステップＳＴ８で入力された暗号化映像データを映像格納部３１に格納する（ステップＳＴ９）。配信サーバ４は、ステップＳＴ６で入力されたコンテンツデータと、当該コンテンツデータに対応したステップＳＴ５で入力された固有情報とを格納する（ステップＳＴ１０）。
【００１８】
次に、実施の形態１によるコンテンツ認証システムのデジタルコンテンツ再生処理について説明を行う。まず、図３のシーケンス図に沿って説明を行う。
記録媒体３を視聴端末７に挿入すると（ステップＳＴ２１）、視聴端末７の再生処理部７１は、配信サーバ４に対してデジタルコンテンツ再生のリクエストを出力する（ステップＳＴ２２）。このとき再生処理部７１は、認証サーバ５に対してユーザ認証のリクエストを出力し（ステップＳＴ２３）、認証サーバ５において視聴端末のユーザ認証が行われる（ステップＳＴ２４）。ステップＳＴ２４においてユーザが認証されると、認証結果が視聴端末７の再生処理部７１に通知される（ステップＳＴ２５）。
【００１９】
ステップＳＴ２５において認証結果が通知された再生処理部７１の指示に基づいて、固有情報読出部７２は記録媒体３の固有情報格納部３２から固有情報を読み出し（ステップＳＴ２６）、読み出した固有情報を固有情報送信部７３を介して配信サーバ４に送信する（ステップＳＴ２７）。配信サーバ４の固有情報照合部４２は、ステップＳＴ２７で送信された固有情報を、データ格納部４１に格納されている固有情報と照合する（ステップＳＴ２８）。ステップＳＴ２８において、記録媒体３の固有情報と配信サーバ４のデータ格納部４１に格納されていた固有情報が一致した場合、配信サーバ４は正しい記録媒体３が挿入されていると判断し、コンテンツデータ配信部４３はデータ格納部４１に格納されたコンテンツデータを視聴端末７のコンテンツデータダウンロード部７５に配信する（ステップＳＴ２９）。
【００２０】
ステップＳＴ２９においてコンテンツデータが配信されると、視聴端末７の映像参照部７４は、記録媒体３の映像格納部３１に格納された映像データを参照して（ステップＳＴ３０）、当該映像データの再生試行を行う（ステップＳＴ３１）。この際映像データは暗号化されているため、当該暗号を復号するためのライセンスの発行をライセンスサーバ６に要求する（ステップＳＴ３２）。ライセンスサーバ６は、ステップＳＴ３２で入力されたライセンス発行要求に対して、ライセンスの発行を行う（ステップＳＴ３３）。視聴端末７のデジタルコンテンツ再生部７６は、ステップＳＴ３３で発行されたライセンスを用いて暗号化された映像データを復号し（ステップＳＴ３４）、コンテンツデータと同期させてデジタルコンテンツの再生を行う（ステップＳＴ３５）。
【００２１】
次に、上述したデジタルコンテンツ再生処理について図４のフローチャートを参照しながらより詳しく説明を行う。
なお、以下では、図３のシーケンス図の処理動作と同一または相当する部分には図３で使用した符号と同一の符号を付して説明を省略または簡略化する。
記録媒体３が視聴端末７に挿入されると（ステップＳＴ２１）、視聴端末７の再生処理部７１は配信サーバ４にデジタルコンテンツ再生リクエストを、認証サーバ５にユーザ認証のリクエストを送信する（ステップＳＴ２２，２３）。
【００２２】
認証サーバ５は、ステップＳＴ２３においてユーザ認証のリクエストが入力されると、入力されたユーザは認証済みのユーザであるか否か判定を行う（ステップＳＴ２４１）。ステップＳＴ２４１において認証済みのユーザであると判定された場合には、配信サーバ４へのアクセス可能通知を認証結果として視聴端末７の再生処理部７１に通知する（ステップＳＴ２５）。一方、ステップＳＴ２４１において認証済みのユーザでないと判定された場合には、視聴端末７の表示画面（図示せず）にログイン画面を表示させ、ユーザにユーザ名やパスワードなどの認証情報の入力を求める（ステップＳＴ２４２）。認証サーバ５は、ステップＳＴ２４２に対してユーザが入力したユーザ名とパスワードを用いて再度認証を行い（ステップＳＴ２４３）、認証された場合にはステップＳＴ２５の処理に進む。一方、ステップＳＴ２４３において入力されたユーザ名とパスワードに誤りがあり認証されない場合には、ステップＳＴ２４２のログイン画面に戻り、再度ユーザ名とパスワードなどの認証情報の入力を求める。
【００２３】
ステップＳＴ２５において配信サーバ４へのアクセス可能通知を受けた視聴端末７では、固有情報読出部７２が記録媒体３から固有情報の読み出しを行い（ステップＳＴ２６）、固有情報送信部７３を介して読み出した固有情報を配信サーバ４に送信する（ステップＳＴ２７）。配信サーバ４の固有情報照合部４２は、ステップＳＴ２７で入力された固有情報と、データ格納部４１に格納されている固有情報とが一致しているか否か判定を行う（ステップＳＴ２８１）。ステップＳＴ２８１において固有情報が一致していると判定された場合には、正しい記録媒体３が挿入されていると判断し、コンテンツデータ配信部４３が当該固有情報に対応するコンテンツデータをデータ格納部４１から取得し、視聴端末７のコンテンツデータダウンロード部７５に配信する（ステップＳＴ２９）。
【００２４】
一方、ステップＳＴ２８１において固有情報が一致していないと判定された場合には、
誤った記録媒体３が挿入されていると判断し、視聴端末７の表示画面（図示せず）などを介してユーザに記録媒体３の入れ替えを指示する（ステップＳＴ２８２）。ステップＳＴ２８２の入れ替え指示に基づき記録媒体３の入れ替えが行われたか否か判定を行い（ステップＳＴ２８３）、入れ替えが行われたと判定された場合には再度ステップＳＴ２６に戻り固有情報の読み出し処理を行う。
なお、ステップＳＴ２８３の判定処理は、入れ替えが行われたと判定されるまで繰り返し行われる。
【００２５】
ステップＳＴ２９においてコンテンツデータが配信されると、視聴端末７の映像参照部７４は記録媒体３の映像格納部３１に格納された映像データを参照して（ステップＳＴ３０）、当該映像データの再生試行を行う（ステップＳＴ３１）。このとき、映像参照部７
４は当該映像データの再生に必要となるライセンスが取得済みであるか否か判定を行う（ステップＳＴ３２１）。ステップＳＴ３２１においてライセンス取得済みであると判定された場合にはステップＳＴ３４の処理に進む。一方、ステップＳＴ３２１においてライセンスを取得していないと判定された場合には、映像参照部７４がライセンスサーバ６にライセンス発行の要求を出力し（ステップＳＴ３２）、ライセンスサーバ６からライセンスの発行を受ける（ステップＳＴ３３）。
【００２６】
視聴端末７のデジタルコンテンツ再生部７６は、映像参照部７４からステップＳＴ３３で取得したライセンス、あるいは取得済みであったライセンスおよび映像データを取得し、当該ライセンスを用いて暗号化された映像データを復号し（ステップＳＴ３４）、復号した映像データをコンテンツデータダウンロード部７５から取得したコンテンツデータと同期させて再生することにより、デジタルコンテンツの再生を行う（ステップＳＴ３５）。
【００２７】
以上のように、この実施の形態１によれば、オーサリング装置におけるデジタルコンテンツ制作において当該デジタルコンテンツ認証のための固有情報を生成して配信サーバ４のデータ格納部４１および記録媒体３の固有情報格納部３２に格納し、視聴端末７に記録媒体３が挿入された際に、配信サーバ４に格納された固有情報と、記録媒体３に格納された固有情報とを照合して正しい記録媒体３が挿入されているか否か判断するように構成したので、新たな装置を設けることなく記録媒体３の認証を行うことができる。これにより、コンテンツ認証システムの構成を簡素化することができ、コストを抑制したコンテンツ認証システムを提供することができる。
【００２８】
また、この実施の形態１によれば、映像データが固有に持つ各種情報からデジタルコンテンツ認証のための固有情報を生成するように構成したので、１つのコンテンツデータに対応した映像データを複数の記録媒体に複製した場合でも同一の固有情報を付すことができる。これにより、記録媒体のデータを異なる記録媒体複数にコピーした場合であっても同一のコンテンツデータと照合することができる。
【００２９】
また、この実施の形態１によれば、デジタルコンテンツ再生時にユーザ認証を行うように構成したので、パスワードを知る正規のユーザのみが配信サーバ４にアクセスすることができる。
【００３０】
また、この実施の形態１によれば、ユーザ認証および固有情報による認証後のコンテンツデータを配信し、ネットワーク経由で発行されたライセンスを用いて暗号化された映像データを復号するように構成したので、記録媒体３が盗まれた場合でもセキュリティを確保することができる。
【００３１】
また、この実施の形態１によれば、映像データを記録媒体３に出力して配布し、コンテンツデータを配信サーバ４に出力して配信するように構成したので、デジタルコンテンツ配信において、サイズの大きい映像データをネットワーク配信する必要がなく、狭帯域のネットワーク環境でも安定してデジタルコンテンツを再生することができる。
【００３２】
また、この実施の形態１によれば、デジタルコンテンツに含まれるマークアップ／スクリプト言語の実装により、固有情報を読み出してサーバ装置４へ送信するように構成したので、固有情報読み出しのための新たな装置を必要としない。
具体的には、視聴端末７のディスクドライブの中から、記録媒体がセットされたＣＤ−ＲＯＭドライブを検索し、ＣＤ−ＲＯＭドライブに割り当てられたドライブレター（記憶装置を識別するために各機器に割り当てられたアルファベット）を取得し、取得したドライブレターをＧＥＴメソッド（ＵＲＬの末尾に送信するデータを連結してサーバに送信する方法）などで配信サーバ４に送信する。配信サーバ４は受信したドライブレターの情報を基に、視聴端末７にセットされた記録媒体３内の固有情報を参照するパスを指定し、固有情報を読み出す。
【００３３】
実施の形態２．
この実施の形態２では、デジタルコンテンツデータが複数あり、複数のコンテンツに対応する複数の映像データを、１つの記録媒体３に格納する構成について示す。
図５は実施の形態２によるコンテンツ認証システムの固有情報照合処理を模式的に示したものである。図５では、記録媒体３が暗号化映像データＡおよび暗号化映像データＢを格納する２つの映像格納部３１と、映像データＡから生成した固有情報「１２３４」と映像データＢから生成した固有情報「３４５６」を格納する２つの固有情報格納部３２を備えている。また、配信サーバ４は、コンテンツデータＡと対応する固有情報「１２３４」、コンテンツデータＢと対応する固有情報「３４５６」を格納するデータ格納部４１を備えている。
固有情報照合部４２（図５では図示せず）では、固有情報格納部３２に格納された固有情報（「１２３４」あるいは「３４５６」）と、データ格納部に格納された固有情報（「１２３４」あるいは「３４５６」）とを照合する。
【００３４】
次に、実施の形態２によるコンテンツ認証システムのデジタルコンテンツ制作処理について説明を行う。複数のデジタルコンテンツを備えている点以外は実施の形態１と同様であるため、図２で示したシーケンス図に沿って説明を行う。
ステップＳＴ１としてオーサリング装置１のメディア呼出部１２がメディア格納部１１からメディアデータを呼び出すと、ステップＳＴ２においてデジタルコンテンツ制作部１３は、メディアデータからデジタルコンテンツデータＡおよびデジタルコンテンツデータＢを制作する。なお、デジタルコンテンツデータＡは、映像データＡおよび映像データ以外のデータであるコンテンツデータＡで構成されているものとする。同様に、デジタルコンテンツデータＢは、映像データＢおよび映像データ以外のデータであるコンテンツデータＢで構成されているものとする。
【００３５】
次に、ステップＳＴ３として固有情報生成部１４は、映像データＡが固有に持つ各種情報からデジタルコンテンツ認証のための固有情報「１２３４」を生成すると共に、映像データＢが固有に持つ各種情報からデジタルコンテンツ認証のための固有情報「３４５６」を生成する。ステップＳＴ４として、映像データＡ，Ｂは映像暗号化装置２に出力される。ステップＳＴ５として、生成された固有情報「１２３４」および固有情報「３４５６」は記録媒体３および配信サーバ４に出力される。さらにステップＳＴ６として、コンテンツデータＡ，Ｂは配信サーバ４に出力される。
【００３６】
続いてステップＳＴ７，８として、映像暗号化装置２はステップＳＴ４で入力された映像データＡ，Ｂの暗号化を行い、暗号化された映像データＡ，Ｂを記録媒体３に出力する。記録媒体３は、ステップＳＴ９として固有情報「１２３４」および固有情報「３４５６」を固有情報格納部３２に格納し、映像データＡ，Ｂを映像格納部３１に格納する。ステップＳＴ１０として、配信サーバ４はコンテンツデータＡ，Ｂと、対応する固有情報「１２３４」および固有情報「３４５６」をデータ格納部４１に格納する。
【００３７】
次に、実施の形態２によるコンテンツ認証システムのデジタルコンテンツ再生処理について説明を行う。複数のデジタルコンテンツで構成されている点以外は実施の形態１と同様であるため、図４で示したフローチャートに沿って説明を行う。なお、以下では、実施の形態１によるコンテンツ認証システムと同一の処理については説明を省略または簡略化する。
ステップＳＴ２５において配信サーバ４へのアクセス可能通知を受け取ると、視聴端末７の固有情報読出部７２は、ステップＳＴ２６として記録媒体３の固有情報格納部３２から固有情報「１２３４」あるは固有情報「３４５６」の読み出しを行い、ステップＳＴ２７として固有情報送信部７３が読み出した固有情報「１２３４」あるいは固有情報「３４５６」を配信サーバ４の固有情報照合部４２に送信する。
【００３８】
次にステップＳＴ２８１として、配信サーバ４の固有情報照合部４２は、ステップＳＴ２７で入力された固有情報「１２３４」あるは固有情報「３４５６」と、データ格納部４１に格納されている固有情報とが一致しているか否か判定を行う。ステップＳＴ２８１において固有情報「１２３４」あるは固有情報「３４５６」が一致していると判定された場合には、正しい記録媒体３が挿入されていると判断し、ステップＳＴ２９としてコンテンツデータ配信部４３が固有情報「１２３４」あるは固有情報「３４５６」に相当するコンテンツデータをデータ格納部４１から取得し、視聴端末７のコンテンツデータダウンロード部７５に配信する。
【００３９】
一方、ステップＳＴ２８１において固有情報が一致していないと判定された場合には、誤った記録媒体３が挿入されていると判断し、ステップＳＴ２８２として視聴端末７の表示画面（図示せず）などを介してユーザに記録媒体３の入れ替えを指示する。ステップＳＴ２８２の入れ替え指示に基づき記録媒体３の入れ替えが行われたか否か判定を行い（ステップＳＴ２８３）、入れ替えが行われたと判定された場合には再度ステップＳＴ２６に戻り固有情報の読み出し処理を行う。
【００４０】
ステップＳＴ２９においてコンテンツデータが配信されると、ステップＳＴ３０，３１として視聴端末７の映像参照部７４は記録媒体３の映像格納部３１に格納された映像データＡあるいは映像データＢを参照し、映像データＡあるいは映像データＢの再生試行を行う。このとき、映像参照部７４は映像データＡあるいは映像データＢの再生に必要となるライセンスが取得済みであるか否か確認を行う（ステップＳＴ３２１）。ステップＳＴ３２１においてライセンス取得済みであると判定された場合にはステップＳＴ３４の処理に進む。一方、ステップＳＴ３２１においてライセンスを取得していないと判定された場合には、ステップＳＴ３２，３３としてライセンスサーバ６にライセンス発行の要求を出力し、ライセンスサーバ６からライセンスの発行を受ける。
【００４１】
ステップＳＴ３４として、視聴端末７のデジタルコンテンツ再生部７６は、映像参照部７４からステップＳＴ３３で取得したライセンス、あるいは取得済みであったライセンスおよび映像データＡあるいは映像データＢを取得し、当該ライセンスを用いて暗号化された映像データＡあるいは映像データＢを復号し、ステップＳＴ３５として復号した映像データＡあるいは映像データＢをコンテンツデータダウンロード部７５から取得したコンテンツデータと同期させて再生することによりデジタルコンテンツの再生を行う。
【００４２】
以上のように、この実施の形態２によれば、固有情報生成部１４において映像データが固有に持つ各種情報から固有情報を生成するように構成したので、１つの記録媒体に複数の映像データを格納した場合でも、映像データごとに異なる固有情報を参照して照合を行うことができる。これにより１つの記録媒体を複数のコンテンツデータと対応付けることができる。
【００４３】
実施の形態３．
この実施の形態３では、生成した固有情報を格納するオブジェクトを生成し、当該オブジェクトを記録媒体３に格納する構成を示す。図６は、実施の形態３によるコンテンツ認証システムの構成を示すブロック図である。なお、以下では、実施の形態１によるコンテンツ認証システムの構成要素と同一または相当する部分には実施の形態１で使用した符号と同一の符号を付して説明を省略または簡略化する。
【００４４】
オーサリング装置１の固有情報生成部１４は、映像データが固有に持つ各種情報からデジタルコンテンツ認証のための固有情報を生成すると共に、当該固有情報を格納するオブジェクト３３を生成する。固有情報出力部１５は、当該オブジェクト３３を記録媒体３に出力する。記録媒体３は、固有情報格納部３２に替えて、固有情報出力部１５から入力されるオブジェクト３３を格納する。また、映像暗号化装置２から入力される暗号化映像を映像格納部３１に格納する。
【００４５】
配信サーバ４のデータ格納部４１は、実施の形態１と同様に固有情報出力部１５から入力される固有情報をコンテンツデータと共に格納する。デジタルコンテンツ再生時には、視聴端末７の固有情報読出部７２が記録媒体３に格納されたオブジェクト３３を固有情報として取得し、固有情報送信部７３が当該オブジェクト３３を配信サーバ４の固有情報照合部４２に出力する。固有情報照合部４２は、入力されたオブジェクト３３とデータ格納部４１に格納された固有情報との照合を行う。
【００４６】
実施の形態３のデジタルコンテンツ制作処理およびデジタルコンテンツ再生処理は、固有情報をオブジェクト３３に格納する点、固有情報読出部７２がオブジェクト３３から固有情報を読み出す点以外は実施の形態１と同一であるため、処理動作の詳細な説明は省略する。
【００４７】
以上のように、この実施の形態３によれば、オーサリング装置１の固有情報生成部１４が生成した固有情報を格納するオブジェクト３３を生成し、固有情報出力部１５が当該オブジェクト３３を記録媒体３に出力するように構成したので、デジタルコンテンツの制作と同時に固有情報を記録媒体に自動的に付与することができる。
【００４８】
実施の形態４．
この実施の形態４では、生成した固有情報をフォルダ名に持つフォルダを生成し、当該フォルダを記録媒体３に格納する構成を示す。図７は、実施の形態４によるコンテンツ認証システムの構成を示すブロック図である。なお、以下では、実施の形態１によるコンテンツ認証システムの構成要素と同一または相当する部分には実施の形態１で使用した符号と同一の符号を付して説明を省略または簡略化する。
【００４９】
オーサリング装置１の固有情報生成部１４は、映像データが固有に持つ各種情報からデジタルコンテンツ認証のための固有情報を生成すると共に、当該固有情報をフォルダ名に持つフォルダ３４を作成する。固有情報出力部１５は、当該フォルダ３４を記録媒体３に出力する。記録媒体３は、固有情報格納部３２に替えて、固有情報出力部１５から入力されるフォルダ３４を格納し、当該フォルダ３４内に映像暗号化装置２から入力される暗号化映像を格納する。
【００５０】
配信サーバ４のデータ格納部４１は、実施の形態１と同様に固有情報出力部１５から入力される固有情報をコンテンツデータと共に格納する。デジタルコンテンツ再生時には、視聴端末７の固有情報読出部７２が記録媒体３に格納されたフォルダ３４のフォルダ名を固有情報として取得し、固有情報送信部７３が当該フォルダ名を配信サーバ４の固有情報照合部４２に出力する。固有情報照合部４２は、入力されたフォルダ名とデータ格納部４１に格納された固有情報との照合を行う。
【００５１】
実施の形態４のデジタルコンテンツ制作処理およびデジタルコンテンツ再生処理は、固有情報をフォルダ３４のフォルダ名とする点、固有情報読出部７２がフォルダ３４のフォルダ名を固有情報として読み出す点以外は実施の形態１と同一であるため、処理動作の詳細な説明は省略する。
【００５２】
以上のように、この実施の形態４によれば、オーサリング装置１の固有情報生成部１４が生成した固有情報をフォルダ名とするフォルダ３４を生成し、固有情報出力部１５が当該フォルダ３４を記録媒体に格納するように構成したので、デジタルコンテンツの制作と同時に固有情報を記録媒体に自動的に付与することができる。
【００５３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５４】
１  オーサリング装置、２  映像暗号化装置、３  記録媒体、４  配信サーバ、５  認証サーバ、６  ライセンスサーバ、７  視聴端末、１１  メディア格納部、１２  メディア呼出部、１３  デジタルコンテンツ制作部、１４  固有情報生成部、１５  固有情報出力部、３１  映像格納部、３２  固有情報格納部、４１  データ格納部、４２  固有情報照合部、４３  コンテンツデータ配信部、７１  再生処理部、７２  固有情報読出部、７３  固有情報送信部、７４  映像参照部、７５  コンテンツデータダウンロード部、７６  デジタルコンテンツ再生部。
【図１】
2012141933.tif 000003
【図２】
2012141933.tif 000004
【図３】
2012141933.tif 000005
【図４】
2012141933.tif 000006
【図５】
2012141933.tif 000007
【図６】
2012141933.tif 000008
【図７】
2012141933.tif 000009